(57)【要約】【課題】使用勝手に優れる手持ち式農具及びその手持ち式農具用補助具を提供する。【解決手段】草刈りなどに使用される手鎌１であって、把持用の柄体２０と、柄体２０の上端部に、柄体２０に略直交して前方に延びる刃物体１０と、柄体２０の上端部に、柄体２０に略直交して後方に設けられ、前端部に第一ストッパー３３を有するとともに後端部に第二ストッパー３４を有する軸棒３１に、錘３２を前後移動自在に嵌装した補助具３０とを備える。【選択図】図１
2010115145.tif 000002
【特許請求の範囲】
【請求項１】
草刈りなどに使用される手持ち式農具であって、
把持用の柄体と、
前記柄体の上端部に、前記柄体に略直交して前方に延びる刃物体と、
前記柄体の上端部に、前記柄体に略直交して後方に設けられ、前端部に第一ストッパーを有するとともに後端部に第二ストッパーを有する軸棒に、錘を前後移動自在に嵌装した補助具と、を備えることを特徴とする手持ち式農具。
【請求項２】
前記軸棒をその前端部を支点として、上下方向に回動自在としたことを特徴とする請求項１に記載の手持ち式農具。
【請求項３】
前記柄体の下端部にウエイトを設けたことを特徴とする請求項１又は２に記載の手持ち式農具。
【請求項４】
前記手持ち式農具は手鎌であり、
前記錘を前記軸棒を中心に回転自在にするとともに形状を車輪状とし、前記錘の外径を前記柄体および刃物体の肉厚より大きく設定したことを特徴とする請求項１乃至３のうちいずれか一つに記載の手持ち式農具。
【請求項５】
前記刃物体の前端部に、前後方向に切り欠いた切欠き刃を設けたことを特徴とする請求項４に記載の手持ち式農具。
【請求項６】
前記刃物体の上端部に、複数の溝状の溝部を設けたことを特徴とする請求項４又は５に記載の手持ち式農具。
【請求項７】
前記柄体に、延長柄部を着脱自在に取付けたことを特徴とする請求項１乃至６のうちいずれか一つに記載の手持ち式農具。
【請求項８】
把持用の柄体の上端部に、前記柄体に略直交して前方に延びる刃物体が設けられ、草刈りなどに使用される手持ち式農具に取付けられる補助具であって、
前記柄体の上端部に、前記柄体に略直交して後方に設けられ、前端部に第一ストッパーを有するとともに後端部に第二ストッパーを有する軸棒と、
前記軸棒に前後移動自在に嵌装される錘と、
前部が前記柄体に着脱自在に取付けられ、後部に前記軸棒を取付ける取付部材と、を備えることを特徴とする手持ち式農具用補助具。
【請求項９】
前記取付部材は、前記軸棒をその前端部を支点として、前記後端部を上下方向に回動自在に取付けることを特徴とする請求項８に記載の手持ち式農具用補助具。
【請求項１０】
前記柄体の下端部にウエイトを設けたことを特徴とする請求項８又は９に記載の手持ち式農具用補助具。
【請求項１１】
前記手持ち式農具は手鎌であり、
前記錘を前記軸棒を中心に回転自在にするとともに形状を車輪状とし、前記錘の外径を前記柄体および刃物体の肉厚より大きく設定したことを特徴とする請求項８乃至１０のうちいずれか一つに記載の手持ち式農具用補助具。
【発明の詳細な説明】
【技術分野】
【０００１】
本発明は、使い勝手に優れ、草の刈り取りに限らず、細木や雑木の切断、枝打ち、さらには根切りをも容易に行うことのできる手鎌などの手持ち式農具及びその手持ち式農具用の補助具に関するものである。
【背景技術】
【０００２】
従来から、農作業などにおける草刈りなどには、手鎌や鍬やホーといった手持ち式の農具が使用されている。例えば、手鎌は、電動式や機動式の草刈機と異なり、狭い場所や斜面など、あらゆる場所で手軽に使用することができるといった優れた特徴を備える。
こうした手鎌は、刃物体と柄体を備え、使用者の腕力のみによって草刈りを行うものであり、例えば特許文献１や特許文献２に開示されている。
【特許文献１】特開２００４−３１３０９９号公報
【特許文献２】特開２００６−３４０６９９号公報
【発明の開示】
【発明が解決しようとする課題】
【０００３】
しかしながら、こうした従来の手鎌は、電動式や機動式の草刈機と比較して手軽に使用することができるものの、使用者の腕力のみに依存するので作業効率が悪いといった問題がある。
また、腕力のみに依存するので、草を刈ることができるものの、それより太い細木の切断や根切り等を行うことが困難である。
【０００４】
そこで、本発明の目的とするところは、使用勝手に優れる手持ち式農具及びその手持ち式農具用補助具を提供することにある。
【課題を解決するための手段】
【０００５】
上記の目的を達成するために、本発明の請求項１に記載の手持ち式農具は、草刈りなどに使用される手持ち式農具（１，５１，６１）であって、
把持用の柄体（２０）と、前記柄体（２０）の上端部に、前記柄体（２０）に略直交して前方に延びる刃物体（１０，５２，６２）と、前記柄体（２０）の上端部に、前記柄体（２０）に略直交して後方に設けられ、前端部に第一ストッパー（３３）を有するとともに後端部に第二ストッパー（３４）を有する軸棒（３１）に、錘（３２）を前後移動自在に嵌装した補助具（３０）と、を備えることを特徴とする。
【０００６】
なお、上記した「草刈り」には、雑木の切断、枝打ち、さらには根切りを含む（以下、同じ）。
【０００７】
また、請求項２に記載の手持ち式農具は、前記軸棒（３１）をその前端部を支点として、上下方向に回動自在としたことを特徴とする。
【０００８】
さらに、請求項３に記載の手持ち式農具は、前記柄体（２０）の下端部にウエイト（３５）を設けたことを特徴とする。
【０００９】
また、請求項４に記載の手持ち式農具は、前記手持ち式農具は手鎌（１）であり、
前記錘（３２）を前記軸棒（３１）を中心に回転自在にするとともに形状を車輪状とし、前記錘（３２）の外径を前記柄体（２０）および刃物体（１０）の肉厚より大きく設定したことを特徴とする。
【００１０】
また、請求項５に記載の手持ち式農具は、前記刃物体（１０）の前端部に、前後方向に切り欠いた切欠き刃（１２）を設けたことを特徴とする。
【００１１】
また、請求項６に記載の手持ち式農具は、前記刃物体（１０）の上端部に、複数の溝状の溝部（１４）を設けたことを特徴とする。
【００１２】
また、請求項７に記載の手持ち式農具は、前記柄体（２０）に、延長柄部（２１）を着脱自在に取付けたことを特徴とする。
【００１３】
また、請求項８に記載の手持ち式農具用補助具は、把持用の柄体（２０）の上端部に、前記柄体（２０）に略直交して前方に延びる刃物体（１０，５２，６２）が設けられ、草刈りなどに使用される手持ち式農具（１，５１，６１）に取付けられる補助具（３０）であって、
前記柄体（２０）の上端部に、前記柄体（２０）に略直交して後方に設けられ、前端部に第一ストッパー（３３）を有するとともに後端部に第二ストッパー（３４）を有する軸棒（３１）と、前記軸棒（３１）に前後移動自在に嵌装される錘（３２）と、前部が前記柄体（２０）に着脱自在に取付けられ、後部に前記軸棒（３１）を取付ける取付部材（４０）と、を備えることを特徴とする。
【００１４】
また、請求項９に記載の手持ち式農具用補助具は、前記取付部材（４０）は、前記軸棒（３１）をその前端部を支点として、前記後端部を上下方向に回動自在に取付けることを特徴とする。
【００１５】
また、請求項１０に記載の手持ち式農具用補助具は、前記柄体（２０）の下端部にウエイト（３５）を設けたことを特徴とする。
【００１６】
また、請求項１１に記載の手持ち式農具用補助具は、前記手持ち式農具は手鎌（１）であり、前記錘（３２）を前記軸棒（３１）を中心に回転自在にするとともに形状を車輪状とし、前記錘（３２）の外径を前記柄体（２０）および刃物体（１０）の肉厚より大きく設定したことを特徴とする。
【００１７】
なお、カッコ内の記号は、図面および後述する発明を実施するための最良の形態に記載された対応要素または対応事項を示す。
【発明の効果】
【００１８】
本発明の手持ち式農具によれば、柄体と、その柄体の上端部に、その柄体に略直交して前方に延びる刃物体と、柄体の上端部に、その柄体に略直交して後方に設けられ、前端部に第一ストッパーを有するとともに後端部に第二ストッパーを有する軸棒に、錘を前後移動自在に嵌装した補助具とを備えるので、手鎌や鍬やホーなどの手持ち式農具において使用勝手に優れる。
【００１９】
例えば、手鎌の場合であると、草刈り等を行う際に、手鎌をその柄体を握り、手元を支点として腕力で前後方向に振ると、それに応じて錘が軸棒に沿って前後方向に移動する。
従って、例えば、刃物体の腹刃で草を刈る場合には、腹刃にはその碗力の他に錘が前方に移動して第一ストッパーに衝突した際の衝突力が作用する。その結果、小さな腕力でも草刈りを効果的に行うことができる。また、同様の理由から、草刈りのみでなく、それより肉太の細木や雑木をも容易に切断することができ、また、枝打ちや根切りも容易に行うことができる。
その逆に、手鎌を後方に振ると、錘が後方に移動して第二ストッパーに衝突し、衝突力が作用するので、小さな碗力で手鎌を後方に大きく振ることができ、次の前方の振りを小さな腕力で一層大きくすることができる。
【００２０】
また、草を刈る場合に手鎌を前方に振ると、錘が前方に移動して第一ストッパーに衝突し、その反動により錘は後方に移動する。その結果、小さな腕力でも手鎌を後方に振ることが出来る。
その逆に、手鎌を後方に振ると、錘が後方に移動して第二ストッパーに衝突し、その反動により錘は前方に移動する。小さな腕力でも手鎌を前方に振ることが出来る。
【００２１】
このように、手鎌の前後の動きにかかる力を、錘が前後に移動しストッパーに衝突して発生する衝突力と反動する力が負担するので、小さい腕力でも手鎌を前後に振ることが出きる。
それより使用勝手に優れるので長時間の作業も可能となる。また、手鎌に大きな力を加えることもできるので、草刈りのみでなく細木や雑木の切断、さらには枝打ちや根切りをも容易に行うことができる。
【００２２】
また、鍬やホーの場合には、鍬やホーを上から下に振り降ろすあるいは下から上に振り上げると、錘は上から下あるいは下から上に移動するので、ストッパーに衝突して発生する衝突力と反動する力によって、小さい腕力でも鍬やホーを上下に簡単に振ることが出きる。
【００２３】
また、本発明の手持ち式農具によれば、軸棒をその前端部を支点として、上下方向に回動自在としたので、手鎌や鍬やホーなどの手持ち式農具を振る方向に軸棒の向きを自在に合わせることができる。
従って、軸棒を柄体に対してほぼ０℃〜１８０℃の角度に自在に設定することができる。これにより、刃物体に錘の力を効果的に作用させることができるので、さらに使用勝手を高めることができる。
【００２４】
また、本発明の手持ち式農具によれば、柄体の下端部にウエイトを設けたので、柄体の上端部に設けた錘とのバランスを取ることができる。
従って、手持ち式農具を安定した状態で振ることができ、使用勝手をさらに高めることができる。
【００２５】
また、本発明の手持ち式農具によれば、特に手鎌の場合、錘を軸棒を中心に回転自在にするとともに形状を車輪状とし、錘の外径を柄体および刃物体の肉厚より大きく設定したので、錘に回転自在の車輪としての機能を持たせることができる。
すなわち、手鎌を地面に近づけ、錘をその地面に着地させて回転することによって、使用者はこの手鎌を持ち上げる必要がなく、僅かな力で手鎌の腹刃でいわゆる引き刈りや、背刃（溝部）で押し刈りを容易に行うことができる。
【００２６】
また、本発明の手持ち式農具によれば、刃物体の前端部に、前後方向の切欠き刃を設けたので、この切欠き刃に草や細木を挟み込んで効果的に切断することができる。
従って、手鎌を前後方向に振るのみで、腹刃の他に切欠き刃でも草刈り等を行うことができる。
【００２７】
また、本発明の手持ち式農具によれば、刃物体の上端部に、複数の溝部を設けたので、手鎌を後方へ振ったときにこの溝部の刃で草などを刈ることができる。従って、さらに効率的に草刈りや根切りなどを行うことができ、使用勝手をより高めることができる。
【００２８】
また、本発明の手持ち式農具によれば、前記柄体に、延長柄部を着脱自在に取付けたので、柄体の長さを長くすることができ、両手での使用を容易なものとすることができる。
従って、より大きな力を刃物体に作用させることができ、草刈り等をさらに効果的に行うことができる。
【００２９】
また、本発明の手持ち式農具用補助具によれば、柄体の上端部に、前記柄体に略直交して後方に設けられ、前端部に第一ストッパーを有するとともに後端部に第二ストッパーを有する軸棒と、軸棒に前後移動自在に嵌装される錘と、前部が柄体に着脱自在に取付けられ、後部に前記軸棒を取付ける取付部材とを備えるので、既存の手鎌や鍬やホーに取付けることによって、それらの手持ち式農具の使用勝手を、上記した手鎌や鍬やホーと同様に、大幅に向上させることができる（その作用効果は、上記した手持ち式農具の補助具と同じである）。
【００３０】
また、本発明の手持ち式農具用補助具によれば、軸棒をその前端部を支点として、上下方向に回動自在としたので、手鎌や鍬やホーなどの手持ち式農具を振る方向に軸棒の向きを自在に合わせることができる。
従って、軸棒を柄体に対してほぼ０℃〜１８０℃の角度に自在に設定することができる。これにより、刃物体に錘の力を効果的に作用させることができるので、さらに使用勝手を高めることができる。
【００３１】
また、本発明の手持ち式農具用補助具によれば、柄体の下端部にウエイトを設けたので、柄体の上端部に設けた錘とのバランスを取ることができる。
従って、手持ち式農具を安定した状態で振ることができ、使用勝手をさらに高めることができる。
【００３２】
また、本発明の手持ち式農具用補助具によれば、特に手鎌の場合、錘を軸棒を中心に回転自在にするとともに形状を車輪状とし、錘の外径を柄体および刃物体の肉厚より大きく設定したので、錘に回転自在の車輪としての機能を持たせることができる。
すなわち、手鎌を地面に近づけ、錘をその地面に着地させて回転することによって、使用者はこの手鎌を持ち上げる必要がなく、僅かな力で手鎌の腹刃でいわゆる引き刈りや、背刃（溝部）で押し刈りを容易に行うことができる。
【発明を実施するための最良の形態】
【００３３】
図１乃至図３を参照して、本発明の実施形態に係る手鎌１について説明する。図１は手鎌１を示す斜視図であり、図２はその側面図である。図３は、図２の一部拡大側面図である。
【００３４】
この手鎌１は、草刈りや細木の切断に使用されるものであり、刃物体１０と柄体２０と補助具３０とで構成している。
柄体２０は、使用者が手で握る把持用部分であり、その柄体２０の上端部に、それに略直交して前方に延びる刃物体１０を設けて構成している。また、補助具３０は、軸棒３１と錘３２とで構成している。軸棒３１は、柄体２０の上端部に、その柄体２０に略直交して後方に向けて設けられ、前端部に第一ストッパー３３を有するとともに、後端部に第二ストッパー３４を有する。錘３２には中央に孔があけられ、その孔に軸棒３１が貫通していて、錘３２は前後方向に移動自在に嵌装させられている。なお、各部材の構成材料は限定されないが、鉄や硬質ゴムで形成することができる。
【００３５】
このような手鎌１は使用勝手に優れている。すなわち、草刈り等を行う際に、手鎌１をその柄体２０を握り、手元を支点として腕力で前後方向に振ると、それに応じて錘３２が軸棒３１に沿って前後方向に移動する。
従って、手鎌１を前方に振り、その刃物体１０の腹刃１１で草を刈る場合には、腹刃１１にはその碗力の他に錘３２が前方に移動して第一ストッパー３３に衝突した際の衝突力が作用する。その結果、小さな腕力でも草刈りを効果的に行うことができる。また、同様の理由から、草刈りのみでなく、それより肉太の細木や雑木をも容易に切断することができ、また、枝打ちや根切りも容易に行うことができる。
その逆に、手鎌１を後方に振ると、錘３２が後方に移動して第二ストッパー３４に衝突し、衝突力が作用するので、小さな碗力で手鎌１を後方に大きく振ることができ、次の前方の振りを小さな腕力で一層大きくすることができる。
【００３６】
また、草を刈る場合に手鎌１を前方に振ると、錘３２が前方に移動して第一ストッパー３３に衝突し、その反動により錘３２は後方に移動する。その結果、小さな腕力でも手鎌１を後方に振ることが出来る。
その逆に、手鎌１を後方に振ると、錘３２が後方に移動して第二ストッパー３４に衝突し、その反動により錘３２は前方に移動する。小さな腕力でも手鎌１を前方に振ることが出来る。
【００３７】
このように、手鎌１の前後の動きにかかる力を、錘３２が前後に移動し第一ストッパー３３及び第二ストッパー３４に衝突して発生する衝突力と反動する力が負担するので、小さい腕力でも手鎌１を前後に振ることが出きる。
それより使用勝手に優れるので長時間の作業も可能となる。また、手鎌１に大きな力を加えることもできるので、草刈りのみでなくそれより肉太の細木や雑木の切断や、枝打ちや根切りをも容易に行うことができる。
【００３８】
なお、本実施形態では、軸棒３１の前端部にネジ部３１ａを形成し、そのネジ部３１ａを第一ストッパー３３に形成したネジ孔に螺合している。これにより、軸棒３１を伸縮自在として錘３２の移動量を調節自在としている。なお、軸棒３１は止めネジ３７で第一ストッパー３３に固定している。
【００３９】
また、本実施形態に係る手鎌１は、図２に示す矢印のように、軸棒３１をその前端部を支点として、後端部を上下方向に回動自在としている。この回動自在の動きは、取付部材４０を設けることによって行っている。
取付部材４０は、二枚の板部材４１の前端部をヒンジ４２で回動自在に連結しており、その前部で柄体２０を挟持すると共に、その後部で第一ストッパー３３を挟持し、それらに締結ボルト４３を貫通し、蝶ナット４４で締め付けるものである。蝶ナット４４を緩めることによって軸棒３１を上下方向に回動させ、所望の位置で蝶ナット４４を締め付けて軸棒３１の位置を固定する。
【００４０】
こうした構成としたことによって、手鎌１を振る方向に軸棒３１の向きを自在に合わせて、自在に設定することができる。これにより、刃物体１０に錘３２の力を効果的に作用させることができるので、さらに使用勝手を高めることができる。
【００４１】
また、この手鎌１は、軸棒３１を円柱形（断面円形）とすると共に、錘３２を軸棒３１を中心に回転自在にするとともに形状を車輪状とし、さらに、錘３２の外径を柄体２０および刃物体１０の肉厚より大きく設定している。
こうすることによって、図５に示すように、手鎌２を地面に平行に寝かせ、錘３２をその地面に着地させて回転することによって、使用者はこの手鎌１を持ち上げる必要がなく、僅かな力で手鎌１の腹刃１１でいわゆる引き刈りや、背刃１３（溝部１４）で押し刈りを容易に行うことができる。
【００４２】
また、この手鎌１は、柄体２０の下端部にウエイト３５を設け、柄体２０の上端部に設けた錘３２とのバランスを取っている。
これにより、手鎌１を安定した状態で振ることができる。なお、本実施形態におけるウエイト３５は略Ｔ字状とし、使用者の手が柄体２０からすっぽ抜けるのを防止している。また、このウエイト３５は螺子構造３６によって柄体２０の下端部に着脱自在としている。従って、不要な場合は取り外すことができる。
【００４３】
さらに、この手鎌１の刃物体１０の前端部には、図３等に示すように、前後方向の切欠き刃１２を設けており、この切欠き刃１２に草や細木を挟み込んで切断することができるようにしている。この切欠き刃１２は、特に、根切りや草などの引き抜きに有効である。これにより、手鎌１を前後方向に振るのみで、腹刃１１の他に切欠き刃１２でも草などを刈ることができる。この切欠き刃１２は鋭角な略Ｖ字状とし、草などを素早く刈ることができるようにしている。なお、この切欠き刃１２の形状、数および大きさは限定されず、例えば、複数設けることによって、さらに多くの草を効果的に刈ることができる。
【００４４】
また、この手鎌１は、刃物体１０の背刃１３に複数の溝部１４を設け、手鎌１を後方へ振った際にこの溝部１４でも草などを刈る（いわゆる押し刈りする）ことができるようにしている。これによって、さらに効率的な草刈りなどを行うことができる。
【００４５】
なお、本実施形態では、背刃１３の中央部に形成した幅広の大突部１５およびその前後に設けた複数の小突部１６によって複数の溝部１４を形成している。この大突部１５は、背刃１３の強度を確保する役目も担う。なお、この溝部１４の形状、数および大きさも限定されず、例えば、凹状やＶ字状とすることができる。
【００４６】
また、この手鎌１は、柄体２０に、延長柄部２１を着脱自在に取付けることができるようにしている。延長柄部２１を取付けて柄体２０を長くすることによって、図６に示すように、両手での使用を容易にすることができるので、より大きな力を刃物体１０に与えることができ、草刈り等をさらに容易かつ効果的に行うことができる。
【００４７】
このようにして、本実施形態に係る手鎌１は、その腹刃１１でいわゆる引き刈り、背刃１３（溝部１４）で押し刈り、先端刃（切欠き刃１２）で根切りや草などの引き抜きを容易に行うことができる。
【００４８】
次に図１および図２を参照して、本発明の実施形態に係る手鎌用補助具３０について説明する。図１は、手鎌２に取付けた補助具３０を示し、図２はその側面図を示す。
【００４９】
この補助具３０は、把持用の柄体２０の上端部に、その柄体２０に略直交して前方に延びる刃物体１０が設けられ、草刈りや細木の切断に使用される手鎌１に取付けられるものであり、軸棒３１、錘３２、取付部材４０、およびウエイト３５で構成される。
【００５０】
軸棒３１は、柄体２０の上端部に、その柄体２０に略直交して後方に向けて設けられ、前端部に第一ストッパー３３を有し、後端部に第二ストッパー３４を有する円柱状である。錘３２は、軸棒３１に前後移動自在および回転自在に嵌装された車輪状であり、その外径を柄体２０および刃物体１０より大きく設定している。
【００５１】
錘３２を前後移動自在に設けたことによって、この錘３２が前方に移動して第一ストッパー３３に衝突した際の力が手鎌１の刃体に作用するので、通常の手鎌１を使用する場合より、小さな力で振ることで草刈り等を容易に行うことができる。
【００５２】
また、軸棒３１を円柱状としそれに嵌装する錘３２を車輪状としたので、この錘３２を地面に接地させて回転することによって、使用者はこの手鎌１を持ち上げる必要がなく、僅かな力で手鎌１の腹刃１１でいわゆる引き刈りや、背刃１３（溝部１４）で押し刈りを容易に行うことができる。
【００５３】
さらに、この補助具３０の取付部材４０は、前部が柄体２０に着脱自在に取付けられ、後部に第二ストッパー３４を有する後端部側を上下方向に回動自在に取付けることによって、軸棒３１を柄体２０に取付けるものである。この取付部材４０は、二枚の板部材４１の前端部をヒンジ４２で回動自在に連結し、その前部で柄体２０を挟持すると共に、その後部で第一ストッパー３３を挟持し、それらに締結ボルト４３を貫通し、蝶ナット４４で締め付ける構成としている。蝶ナット４４を緩めることによって軸棒３１を上下方向に所望の位置まで回動させた後、その蝶ナット４４を締め付けることによって軸棒３１の位置を固定することができる。
【００５４】
こうした構成としたことによって、手鎌１を振る方向に軸棒３１の向きを自在に合わせて、自在に設定することができ、刃物体１０に錘３２の力を効果的に作用させることができる。
【００５５】
また、この補助具３０は、柄体２０の下端部に着脱自在に取付けられるウエイト３５を備える。このウエイト３５によって、柄体２０の上端部に設けた錘３２とのバランスを取ることができるので、手鎌１を安定姿勢で振ることができる。なお、本実施形態におけるウエイト３５は略Ｔ字状とし、使用者の手が刃体からすり抜けるのを防止している。また、このウエイト３５は螺子構造３６によって柄体２０の下端部に着脱自在としている。従って、不要な場合は取り外すことができる。
【００５６】
本発明の実施形態では、手持ち式農具の例として手鎌１をあげて説明したが、図７に示す鍬５１や図８に示すホー（ここでは三角窓開きホー）６１においても適用することができる。
つまり、鍬５１やホー６１は、把持用の柄体２０と、柄体２０の上端部に、柄体２０に略直交して前方に延びる刃物体５２，６２と、柄体２０の上端部に、柄体２０に略直交して後方に設けられ、前端部に第一ストッパー３３を有するとともに後端部に第二ストッパー３４を有する軸棒３１に、錘３２を前後移動自在に嵌装した補助具３０を備えている。  そして、鍬５１やホー６１を上から下に振り降ろすあるいは下から上に振り上げると、錘３２は上から下あるいは下から上に移動するので、第一，第二ストッパー３３，３４に衝突して発生する衝突力と反動する力によって、小さい腕力でも鍬やホーを上下に簡単に振ることが出きるようになっている。
【産業上の利用可能性】
【００５７】
本発明に係る手鎌１などの手持ち式農具およびその補助具３０は、農業、林業、園芸、木材加工の各分野において使用することができる。
【図面の簡単な説明】
【００５８】
【図１】本発明の実施形態に係る手鎌および補助具を示す斜視図である。
【図２】図１に示す手鎌および補助具を示す側面図である。
【図３】図２の一部拡大図である。
【図４】図１に示す手鎌の使用状態を示す側面図である。
【図５】図１に示す手鎌の他の使用状態を示す側面図である。
【図６】本発明の他の実施形態に係る手鎌の使用状態を示す斜視図である。
【図７】本発明の実施形態に係る鍬および補助具を示す斜視図である。
【図８】本発明の実施形態に係るホーおよび補助具を示す斜視図である。
【符号の説明】
【００５９】
１        手鎌
１０        刃物体
１１        腹刃
１２        切欠き刃
１３        背刃
１４        溝部
１５        大突部
１６        小突部
２０        柄体
２１        延長柄部
３０        補助具
３１        軸棒
３１ａ      ネジ部
３２        錘
３３        第一ストッパー
３４        第二ストッパー
３５        ウエイト
３６        螺子構造
３７        止めネジ
４０        取付部材
４１        板部材
４２        ヒンジ
４３        締結ボルト
４４        蝶ナット
５１        鍬
５２        刃物体
６１        ホー
６２        刃物体
【図１】
2010115145.tif 000003
【図２】
2010115145.tif 000004
【図３】
2010115145.tif 000005
【図４】
2010115145.tif 000006
【図５】
2010115145.tif 000007
【図６】
2010115145.tif 000008
【図７】
2010115145.tif 000009
【図８】
2010115145.tif 000010